(57)【要約】【課題】台部の下面に板状の弾性部材を接着して路面からの衝撃を吸収できる構造であって、使用者の歩く動作で踵部材がすぐに磨り減ってしまわずに長持ちする下駄を提供する。【解決手段】台部１１の下面において、中央を削り取られて前方の踏み付け部１１ａと後方の踵部１１ｂとが分かれて突出し、前記踏み付け部１１ａの下面に板状の弾性部材からなる底板部材１４が接着されるとともに、前記踵部１１ｂの下面に板状の弾性部材からなる踵部材１５が接着されてなり、前記踵部材１５は、前端から前方近傍までの範囲に前記底板部材１４が路面に当接した状態において下面が路面に当接する平坦部分１５ａと、前方近傍から後端にかけての範囲に前記底板部１４が路面に当接した状態において前方近傍から後端にかけて上方に傾斜し下面が路面に非接触となる上方傾斜部分１５ｂとからなるように下駄１０を形成した。【選択図】図１
2009136369.tif 000002
【特許請求の範囲】
【請求項１】
台部の下面において、中央を削り取られて前方の踏み付け部と後方の踵部とが分かれて突出し、前記踏み付け部の下面に板状の弾性部材からなる底板部材が接着されるとともに、前記踵部の下面に板状の弾性部材からなる踵部材が接着されてなり、
前記踵部材は、前端から前方近傍までの範囲に前記底板部材が路面に当接した状態において下面が路面に当接する平坦部分と、前方近傍から後端にかけての範囲に前記底板部材が路面に当接した状態において前方近傍から後端にかけて上方に傾斜し下面が路面に非接触となる上方傾斜部分と、からなることを特徴とする下駄。
【請求項２】
前記踵部は、下面が前方近傍から後端にかけて上方に傾斜させて形成され、踵部材は、前記踵部に接着されることにより下面が前方近傍から後端にかけて上方に傾斜している請求項１に記載の下駄。
【発明の詳細な説明】
【技術分野】
【０００１】
本発明は、木製の台部の接地面（下面）に弾性部材を貼着した下駄、特に台部の下面中央を削り取られて、台部の下面が前方の踏み付け部と後方の踵部とに分かれて突出している下駄に関するものである。
【背景技術】
【０００２】
下駄を履いて硬い路面を歩くと、路面からの衝撃がそのまま足に伝わり、鼻緒の前緒に差し入れている足の指を痛めることがある。そこで、路面からの衝撃を吸収し緩和するために、台部の接地面（下面）にゴムまたはプラスチックシート等の板状の弾性部材を接着した下駄が知られている。
【０００３】
この種の下駄の例を図４図に示す。図４図において、下駄２０は、木製の台部２１の上面に鼻緒２２が取り付けられている。この鼻緒２２は、前緒２３により折り返し部分を台部２１に固定されている。また、台部２１は、下面中央を削り取られて、台部の下部が前方の踏み付け部２１ａと後方の踵部２１ｂとに分かれて突出している。そして、踏み付け部２１ａと踵部２１ｂの下面には、板状の弾性部材からなる底板部材２４、踵部材２５が接着されている。図示のように、下駄２０は、踏み付け部２１ａ下面の底板部材２４が路面に当接した状態において、踵部２１ｂの下面の踵部材２５は、下面が平坦で略全面が路面Ｇに当接する。
【発明の開示】
【発明が解決しようとする課題】
【０００４】
上記下駄は、路面からの衝撃を吸収し緩和するために、台部の下面にゴムまたはプラスチックシート等の板状の弾性部材からなる底板部材、踵部材を接着しているが、弾性部材は耐摩耗性が小さいので磨り減り易い。また、使用中は踵部に負荷がかかる上、使用者の歩く動作で踵部の後端が路面に擦られると、踵部材が早期に磨り減って肉薄となり、使用できなくなってしまうため改善が望まれていた。
【０００５】
本発明は、台部の下面に板状の弾性部材を接着して路面からの衝撃を吸収できる構造であって、使用者の歩く動作で踵部材がすぐに磨り減ってしまわずに長持ちする下駄を提供するものである。
【課題を解決するための手段】
【０００６】
前記課題を解決するために請求項１記載の発明は、台部の下面において、中央を削り取られて前方の踏み付け部と後方の踵部とが分かれて突出し、前記踏み付け部の下面に板状の弾性部材からなる底板部材が接着されるとともに、前記踵部の下面に板状の弾性部材からなる踵部材が接着されてなり、前記踵部材は、前端から前方近傍までの範囲に前記底板部材が路面に当接した状態において下面が路面に当接する平坦部分と、前方近傍から後端にかけての範囲に前記底板部材が路面に当接した状態において前方近傍から後端にかけて上方に傾斜し下面が路面に非接触となる上方傾斜部分と、からなることを特徴とする下駄である。
【０００７】
また、請求項２記載の発明において、前記踵部は、下面が前方近傍から後端にかけて上方に傾斜させて形成され、踵部材は、前記踵部に接着されることにより下面が前方近傍から後端にかけて上方に傾斜している請求項１に記載の下駄である。
【発明の効果】
【０００８】
本発明によれば、路面からの衝撃は吸収できるし、使用者の歩く動作で踵部の後端が路面に擦られにくいので、踵部下面に接着されている弾性部材は、早期に磨り減ってしまうことがなく長持ちする。
【発明を実施するための最良の形態】
【０００９】
以下、この発明の実施形態を図面に基づいて説明する。
【実施例１】
【００１０】
図１は、この発明の実施例１である下駄の斜視図、図２は、図１に示した下駄の一部欠截した側面図、図３は、図１に示した下駄の底面図である。
【００１１】
図１〜図３において、下駄１０は、木製の台部１１、台部１１に取り付けられて使用者の足の装着位置を設定する鼻緒１２、鼻緒１２の折り返し部分を台部１１に固定する前緒１３、台部１１の下面前方に貼着され板状の弾性部材からなる底板部材１４、及び台部１１の下面後方に貼着され板状の弾性部材からなる踵部材１５とから構成されている。
【００１２】
台部１１は、下面において、中央を削り取られて前方の踏み付け部１１ａと、後方の踵部１１ｂとが分かれて突出し、中央に凹部１６が形成されている。踏み付け部１１ａは、下面が後端から前端にかけて上方に僅かに傾斜して形成され、踵部１１ｂは下面が前方近傍から後端にかけて上方に急な角度で傾斜して形成されている。そして、踏み付け部１１ａと踵部１１ｂの下面には、底板部材１４、踵部材１５が接着されている。この状態において、底板部材１４は、下面の傾斜が緩やかで略平坦であるが、踵部材１５は、下面が前方近傍から後端にかけて上方に急な角度で傾斜している。
【００１３】
そのため、踏み付け部１１ａ下面の底板部材１４が路面に当接した状態において、踵部１１ｂの下面の踵部材１５は、前端から前方近傍までの平坦部分１５ａが路面Ｇに当接し、前方近傍から後端にかけての上方傾斜部分１５ｂは路面Ｇに接触しない。
【００１４】
また、台部１１は、前方において、上面から踏み付け部１４の下面に貫通して前孔１７が設けられ、後方において、上面から凹部１６の下面に貫通して一対の後孔１８，１８が左右に離間して設けられている。
【００１５】
台部１１は、左右の後孔１８，１８に上方より鼻緒１２の左右の各後緒１２ａ，１２ａが挿入されて、各後緒１２ａ，１２ａから延長された左右の芯縄１９ａ、１９ａを台部１１下面の凹部１６の位置に貫通されている。そして、鼻緒１２の両芯縄１９ａ、１９ａは、台部１１の下面において、相互に結び止められて結び部１９ｂに形成されている。鼻緒１２の折り返し部分は、二つ折りされた前緒１３に挟着される。前緒１３は、両端を合致されて前孔１７に貫通され、台部１１の下面において、両端の各芯縄を金具２７に係止される。
【００１６】
底板部材１４には、前孔１７と合致する位置に舌片１４ａを有する切り欠き窓部１４ｂが設けられている。切り欠き窓部１４ｂは、前緒１３の両端を金具２７に係止する作業を行うときは開放されているが、前緒１３の両端が金具２７に係止されると、舌片１４ａを切り欠き窓部１４ｂに嵌め合わせて係止具１４ｃにより舌片１４ａを係止して閉じられる。
【００１７】
次に、使用者が、下駄１０を履いた状態における作用について説明する。使用者が、下駄１０を履くと、下駄１０は、踏み付け部１１ａ下面の底板部材１４が路面に当接した状態において、踵部１１ｂの下面の踵部材１５は、前端から前方近傍までの平坦部分１５ａが路面に当接し、前方近傍から後端にかけての上方傾斜部分１５ｂは路面に接触しない。したがって、下駄１０は、使用者の歩く動作で踵部１１ｂ下面に接着されている踵部材１５の前方近傍から後端までの上方傾斜部分１５ｂが路面に擦られにくいので早期に磨り減ってしまうことがなく、踵部材１５を長持ちさせることができる。
【図面の簡単な説明】
【００１８】
【図１】この発明の実施例１である下駄の斜視図である。
【図２】図１に示した下駄の一部欠截した側面図である。
【図３】図１に示した下駄の底面図である。
【図４】従来の下駄の側面図である。
【符号の説明】
【００１９】
１０，２０  下駄
１１，２１  台部
１１ａ，２１ａ  踏み付け部
１１ｂ，２１ｂ  踵部
１２，２２  鼻緒
１２ａ  後緒
１３，２３  前緒
１４，２４  底板部材
１４ａ  舌片
１４ｂ  切り欠き窓部
１４ｃ  係止具
１５，２５  踵部材
１５ａ  踵部材の平坦部分
１５ｂ  踵部材の上方傾斜部分
１６  凹部
１７  前孔
１８  後孔
１９ａ  芯縄
１９ｂ  結び部
２７  金具
Ｇ  路面
【図１】
2009136369.tif 000003
【図２】
2009136369.tif 000004
【図３】
2009136369.tif 000005
【図４】
2009136369.tif 000006